(57)【要約】      （修正有） 【課題】加齢等により下垂し弾力性の低下したバストであっても、カップ上部にふくらみを形成し、安定してその状態を維持させ、ワイヤーによる圧迫を軽減させることができるブラジャーを提供する。【解決手段】ブラジャーの外観を形成するカップ芯材１１，１２と土台３を縫合して形成する。又、別に独立したパッドポケットを有する裏あて２０を設け、パッド１６はカップの径であるワイヤー装着ラインよりも下方へはみだすことを意図して設計する。パッド１６がワイヤー１５と肌の間に入り込むことに依って、バスト下方からの底上げが増し、ワイヤーの圧迫もパッドの厚みにより面で受けることになる為、跡がつきにくくなる。さらに、固定されたワイヤーと肌との間にパッドが入る事により、面での密着度が増してズレにくくなる。【選択図】図１
0003161712.tif 000002
【実用新案登録請求の範囲】
【請求項１】
ワイヤーを有するブラジャーの前面部分の構造において、ブラジャーの外観を形成するカップと土台部分にワイヤーを装着させたものの裏側に、胸パッドを挿入する為のポケットを有する独立した裏あて布を装備するとともに、カップの径であるワイヤー装着ラインよりも下方へはみだすことを意図して設計されたパッドが装備されたブラジャー。
【請求項２】
請求項１記載のブラジャーの構造を有した衣類。
【考案の詳細な説明】
【技術分野】
【０００１】
本考案はバストをリフトアップして形を整えるというブラジャーの基本的な機能に付随しており、弾力性が低下して下垂したバストを上方に集めて維持しつつ、ワイヤーによる圧迫を軽減させる技術に関するものである。
【背景技術】
【０００２】
通常一般的なブラジャーはサイズに依ってバストが丁度良く収まるカップを設けており、それをリフトアップすることで形を整えている。美しい形状を保つため、カップ廻りにワイヤーを挿入するなど一般的である。また、実際よりもバストを大きく見せたりバストを上方へ押し上げる技術として例を図８で示した。図４で示すカップの内側に、布片30,31,32を接ぎ合せ、カップ下方部分に袋を形成し、パッド33を挿入することによりバストを上方へ上げる技術や、ウレタンシートなどを用いて34で示す様にカップの下方を厚底に形成する技術は既に周知である。
【先行技術文献】
【特許文献】
【０００３】
【特許文献１】特開平09-176904号公報
【特許文献２】特開平09-031711号公報
【特許文献３】特開平08-092803号公報
【特許文献４】実開平05-062513号公報
【考案の概要】
【考案が解決しようとする課題】
【０００４】
しかし、上記の様なカップの中の底上げでは、密着して支える土台部分までの距離が長く、下垂してハリが低下したバストは流動的なのでズレ易く安定して維持することが困難である。着用した後に動いたり時間が経過したりするとカップがズレて目的を果たしていないこともしばしばである。
また、弾力性を失っている肌にはワイヤーの圧迫で出来た跡がはっきり付き、なかなか消えないのも不快である。
【課題を解決するための手段】
【０００５】
一般的にバストの容量不足を補うパッドが付属されている場合、パッドを挿入する裏あて布やパッドポケットはカップの径の内側に位置している。その為、パッドはどのような形でもカップの径の内側に納まることになる（図10）。本考案は、ブラジャーの外観を形成するカップ芯材と土台を縫合したもの（図５）、それとは別に独立したパッドポケットを有する裏あて（図６）を設け、パッドはカップの径であるワイヤー装着ラインｃ（図９）よりも下方へはみだすことを意図して設計する。
【考案の効果】
【０００６】
着用時の横断面を示す図11の従来型パッドの場合と比べて、図12の本考案型を着用した場合で示した様に、パッドがワイヤーと肌の間に入り込むことに依って、バスト下方からの底上げが増し、ワイヤーの圧迫もパッドの厚みにより面で受けることになる為、跡がつきにくくなる。さらに、固定されたワイヤーと肌との間にパッドが入る事により、面での密着度が増してズレにくくなる。
【０００７】
以上説明したように本考案のブラジャーは、ハリの低下したバストでも安定し、肌に優しい着け心地で、バスト上部にふっくらとした若々しいシルエットを作る事を可能にした。胸元が開いた衣類やバストのシルエットが出やすい衣類なども美しく安心して着用することが可能である。
図９は本考案のパッド装着位置を示した正面図である。
図10は従来型パッドの装着位置を示した正面図である。
【図面の簡単な説明】
【０００８】
【図１】図３を１点鎖線aで切断した断面図である。
【図２】本考案の表側正面図である。
【図３】本考案の裏側正面図である。
【図４】本考案の前部分表布正面図である。
【図５】本考案の前部分中芯布正面図である。
【図６】本考案の前部分裏あて布正面図ある。
【図７】構成部材のワイヤーとパッド（クッション材）を示したものである。
【図８】既存技術による上げ底構造のブラジャーカップの断面図である。
【図９】本考案のパッド装着位置を示した正面図である。
【図１０】既存技術によるパッドの装着位置を示した正面図である。
【図１１】既存技術によるパッド装着時の横断面概略図である。
【図１２】本考案のパッド装着時の横断面概略図である。
【図１３】本考案の表側の応用例である。
【図１４】本考案の表側の応用例である。
【考案を実施するための形態】
【０００９】
まず図５の11と12をテーフ゜状布13（図１）を用いて接ぎ、土台布3（図１,図５）と接ぎ合せ、前部分中芯布（図５）を形成する。カップと土台の接ぎ目にはルーフ゜状布14（図１）を縫着しておく。ルーフ゜状布14にはワイヤー15（図１,図７）を挿入する。
【００１０】
裏あて布18,19（図３）をポケット口であるスリットを作成しながら下部を接ぎ、ポケット布20,21（図６）を接ぎ合せたものを18,19の外側へ縫い付け、17（図３）と接ぎ合せる。さらに前中心を接ぎ合わせ、前部分裏あて布（図６）を形成する。  
【００１１】
前部分表布センター側1とサイド側2（図４）を接ぎ合せ、左右を合わせた前中心も接いで前部分表布（図４）を形成し、11,17（図１）の上辺を縫い合わせながら前部分表布の上辺でくるむ。
【００１２】
バック布4（図２）と前部分表布、前部分中芯布、前部分裏あて布を一緒にb（図２）で接ぎ合わせ、テープ状布10（図３）で縫い代を伏せる。
【００１３】
9、8（図３，図１）のストレッチテープを縫着する。
【００１４】
留め具6、7（図２,図３）、ストラップ5（図２）を縫着する。
【００１５】
不織布等で形成したパッド16（図７，図１）をポケット口より挿入する。
【００１６】
本考案の外観はデザインにより、カップ部分を接ぎ合わせたもの（図13）やシームレスのカップ（図14）などにも応用が可能である。
【符号の説明】
【００１７】
1  前部分表布センター側
2  前部分表布サイド側
3  土台布  
4  バック布  
5  ストラップ
6  留め具（フックアイ凹）
7  留め具（フックアイ凸）
8  ストレッチテープ
9  ストレッチテープ
10  テープ状布
11  カップ芯材（不織布等）上部
12  カップ芯材（不織布等）下部
13  テープ状布
14  ループ状布
15  ワイヤー
16  パッド
17  裏あて布上部
18  裏あて布下部センター側
19  裏あて布下部サイド側
20  裏あてポケット布センター側
21  カップポケット布サイド側
30  裏あて布
31  ポケット布
32  裏あて布
33  パッド
34  モールド形成済みカップ
a   切断線  
ｂ  縫合線
ｃ  ワイヤー装着ライン
【図１】
0003161712.tif 000003
【図２】
0003161712.tif 000004
【図３】
0003161712.tif 000005
【図４】
0003161712.tif 000006
【図５】
0003161712.tif 000007
【図６】
0003161712.tif 000008
【図７】
0003161712.tif 000009
【図８】
0003161712.tif 000010
【図９】
0003161712.tif 000011
【図１０】
0003161712.tif 000012
【図１１】
0003161712.tif 000013
【図１２】
0003161712.tif 000014
【図１３】
0003161712.tif 000015
【図１４】
0003161712.tif 000016